(57)【要約】  空気調和機の室外機は、熱交換器で生成されたドレン水を排水する排水穴が形成された底板と、底板の上面に配置されたヒータと、底板の上面との間にヒータを挟んだ状態でヒータを底板に固定するヒータ固定具と、ヒータ固定具と底板とが重なる部分に設けられたネジ穴に上方から挿入されて固着され、ヒータ固定具を底板に固定するネジと、底板から下方に突出したネジの先端部を底板の下面側から覆う保護キャップとを備える。ネジ穴は排水穴の周囲に設けられ、排水穴の周囲でヒータ固定具が底板に固定される。
2019069392.tif 000002
【特許請求の範囲】
【請求項１】
熱交換器で生成されたドレン水を排水する排水穴が形成された底板と、
前記底板の上面に配置されたヒータと、
前記底板の上面との間に前記ヒータを挟んだ状態で前記ヒータを前記底板に固定するヒータ固定具と、
前記ヒータ固定具と前記底板とが重なる部分に設けられたネジ穴に上方から挿入されて固着され、前記ヒータ固定具を前記底板に固定するネジと、
前記底板から下方に突出した前記ネジの先端部を前記底板の下面側から覆う保護キャップとを備え、
前記ネジ穴は前記排水穴の周囲に設けられ、前記排水穴の周囲で前記ヒータ固定具が前記底板に固定される空気調和機の室外機。
【請求項２】
前記底板には、上面側に凸の凸形状部が形成されており、
前記保護キャップは、前記ネジの先端部を覆うカバー部と、前記カバー部の開口縁の互いに対向する位置から延びて形成された一対のフランジ部とを有し、前記一対のフランジ部のうちの一方に前記凸形状部との固定を行うかしめ接合部が形成されており、
前記底板の下面には室外機を支持する一対の脚部が設けられ、前記一対の脚部にも、前記底板との固定を行うかしめ接合部が形成されている請求項１記載の空気調和機の室外機。
【請求項３】
請求項１記載の空気調和機の室外機の製造方法であって、
裏返された前記底板上に前記保護キャップと、室外機を支持する一対の脚部とを配置し、前記保護キャップと前記一対の脚部とを同時に前記底板にかしめ接合する空気調和機の室外機の製造方法。
【請求項４】
前記底板には上面側に凸の凸形状部が形成されており、
前記保護キャップは、前記ネジの先端部を覆うカバー部と、前記カバー部の開口縁の互いに対向する位置から延びて形成された一対のフランジ部とを有し、裏返された前記底板の前記凸形状部に前記一対のフランジ部が重なるように配置され、前記一対のフランジ部の一方と前記凸形状部とが重なる部分に対して前記かしめ接合を行う請求項３記載の空気調和機の室外機の製造方法。
【発明の詳細な説明】
【技術分野】
【０００１】
本発明は、空気調和機の室外機及び空気調和機の室外機の製造方法に関するものであり、特にヒータの固定に用いられるネジの先端部の保護に関する。
【背景技術】
【０００２】
従来より、空気調和機の室外機の底板には、暖房運転時の熱交換器の結露により生じるドレン水を排水することを目的として、底板の左右方向の中央部に排水穴が形成されている。また、寒冷地においては、底板上のドレン水が排水穴から排水される前に凍結してしまう可能性があるため、底板にはヒータが取り付けられている（例えば、特許文献１参照）。【０００３】
特許文献１では、ヒータの管部の一部をヒータ固定具で底板の上面に押さえつけ、ヒータ固定具と底板とが重なる部分をネジで固定することで、ヒータが底板に取り付けられている。ネジは、ヒータ固定具側から底板側へと通され、ネジの先端部が底板から下方に突出する構成となっている。そして、据付作業時の安全性を確保するため、ネジの先端部を底板の下面側に固定された脚部でカバーし、ネジの先端部が室外機の外部に露出しない構成としている。脚部は一対設けられており、底板の左右方向の両端部に配置され、一方の脚部でネジの先端部を覆っている。
【先行技術文献】
【特許文献】
【０００４】
【特許文献１】特開２０１４−１０５９５４号公報
【発明の概要】
【発明が解決しようとする課題】
【０００５】
特許文献１では、ネジの先端部を脚部で覆う構成としているため、ネジの固定位置を、脚部の位置に合わせて底板の左右方向の端部としている。一方、排水穴は底板の左右方向の中央部に形成されているため、ネジの固定位置が排水穴から離れた位置となり、ヒータを排水穴の周辺で固定することができない。それ故、排水穴の周辺でヒータの浮き及びズレが生じ、排水穴の周辺を効果的に加熱できないという課題がある。【０００６】
本発明はこのような点を鑑みなされたもので、ネジの先端部を保護しつつ、排水穴の周辺でヒータを固定することが可能な空気調和機の室外機及び空気調和機の室外機の製造方法を提供することを目的とする。
【課題を解決するための手段】
【０００７】
本発明に係る空気調和機の室外機は、熱交換器で生成されたドレン水を排水する排水穴が形成された底板と、底板の上面に配置されたヒータと、底板の上面との間にヒータを挟んだ状態でヒータを底板に固定するヒータ固定具と、ヒータ固定具と底板とが重なる部分に設けられたネジ穴に上方から挿入されて固着され、ヒータ固定具を底板に固定するネジと、底板から下方に突出したネジの先端部を底板の下面側から覆う保護キャップとを備え、ネジ穴は排水穴の周囲に設けられ、排水穴の周囲でヒータ固定具が底板に固定されるものである。【０００８】
また、本発明に係る空気調和機の室外機の製造方法は、上記の空気調和機の室外機の製造方法であって、裏返された底板上に保護キャップと、室外機を支持する一対の脚部とを配置し、保護キャップと一対の脚部とを同時に底板にかしめ接合するものである。
【発明の効果】
【０００９】
本発明により、ネジの先端部を保護しつつ、排水穴の周辺でヒータを固定することが可能な空気調和機の室外機及び空気調和機の室外機の製造方法を得ることができる。
【図面の簡単な説明】
【００１０】
【図１】本発明の実施の形態１に係る空気調和機の室外機の外観を示す斜視図である。
【図２】本発明の実施の形態１に係る空気調和機の室外機の外観と内部とを示す斜視図である。
【図３】本発明の実施の形態１に係る空気調和機の室外機の底板の上面斜視図である。
【図４】本発明の実施の形態１に係る空気調和機の室外機の底板の背面斜視図である。
【図５】図３の排水穴周辺の拡大図である。
【図６】本発明の実施の形態１に係る空気調和機の室外機の底板にヒータを搭載した状態の上面斜視図である。
【図７】本発明の実施の形態１に係る空気調和機の室外機の底板にヒータを搭載した状態の背面斜視図である。
【図８】図６の排水穴周辺の拡大図である。
【図９】図７の排水穴周辺の拡大図である。
【図１０】本発明の実施の形態１に係る空気調和機の室外機の底板にヒータを搭載した状態の平面図である。
【図１１】図１０のＡ−Ａ拡大断面図である。
【図１２】本発明の実施の形態１に係る空気調和機の室外機の底板に設置される保護キャップの上面斜視図である。
【図１３】本発明の実施の形態１に係る空気調和機の室外機の底板に設置される保護キャップを示す正面図である。
【発明を実施するための形態】
【００１１】
以下、本発明における空気調和機について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１２】
実施の形態１．
図１は、本発明の実施の形態１に係る空気調和機の室外機の外観を示す斜視図である。図２は、本発明の実施の形態１に係る空気調和機の室外機の外観と内部とを示す斜視図である。
空気調和機の室外機の筐体は、底板１、前面板２、側面板３、側面板３に取り付けられる保護カバー３ａ及び天面板４で構成されている。室外機内部の各部品は底板１の上面に保持されている。底板１の下面には一対の脚部８が形成されており、その一対の脚部８によって室外機は支持されている。筐体の内部は、仕切り板７によって送風機室５と機械室６とに仕切られている。
【００１３】
送風機室５には、熱交換器１０と、モーター取付台１３とが配置されている。モーター取付台１３は、プロペラファン１１を取り付けたモーター１２を、熱交換器１０の前方に保持するものである。
【００１４】
機械室６には、圧縮機１４、冷媒配管１５及び電装品ユニット１６が配置されている。室内機から室外機に送られた冷媒は、圧縮機１４において圧縮され、冷媒配管１５を通り、熱交換器１０に送られる。また電装品ユニット１６は、制御基板を備え、各部品への電力供給等を行う電源板１７が装着されている。電源板１７には、室外機と室内機（図示せず）とを接続する端子台１８がネジ固定されている。
【００１５】
このように構成された室外機においてプロペラファン１１が動作することにより、熱交換器１０を通過して室外機内に空気が流入し、その空気は、プロペラファン１１を通過し、室外機の前方に流出する。これにより、例えば冷房運転中においては、熱交換器１０内の冷媒は空気によって冷却され、熱交換器１０を通過した空気は冷媒と熱交換することで加熱される。
【００１６】
図３は、本発明の実施の形態１に係る空気調和機の室外機の底板の上面斜視図である。図４は、本発明の実施の形態１に係る空気調和機の室外機の底板の背面斜視図である。図５は、図３の排水穴周辺の拡大図である。
底板１は、左右方向の中央部に平坦部２０を有し、平坦部２０に排水穴１９が形成されている。暖房運転時の熱交換器１０の結露により生成されたドレン水は、熱交換器１０から底板１へと流れ落ちた後、排水穴１９から外部に排出される。
【００１７】
図６は、本発明の実施の形態１に係る空気調和機の室外機の底板にヒータを搭載した状態の上面斜視図である。図７は、本発明の実施の形態１に係る空気調和機の室外機の底板にヒータを搭載した状態の背面斜視図である。図８は、図６の排水穴周辺の拡大図である。図９は、図７の排水穴周辺の拡大図である。図１０は、本発明の実施の形態１に係る空気調和機の室外機の底板にヒータを搭載した状態の平面図である。図１１は、図１０のＡ−Ａ拡大断面図である。
【００１８】
底板１上には、ドレン水の凍結を防止するためのヒータ２１が配置されている。ヒータ２１は、排水穴１９付近でヒータ固定具２２及びネジ２３によって底板１に固定されている。具体的には、ヒータ固定具２２は、ヒータ２１の管部の一部を覆う湾曲部２２ａと、ネジ２３が通されるネジ穴２２ｃ（図１１参照）が形成された取付部２２ｂとを有する。底板１は、ヒータ固定具２２の取付部２２ｂと重なる部分が上方に突出した凸形状部１ａを有している。凸形状部１ａは、一方向に関し、非対称の形状とされている。一例として、ここでは左右方向に関し、左右非対称の形状とされ、図９に示すように左右方向の一端側が先細りとなる形状に形成されている。そして、凸形状部１ａにおいて、ヒータ固定具２２のネジ穴２２ｃと対向する部分にはネジ穴１ｂが形成されている。
【００１９】
以上のように構成されたヒータ固定具２２は、ネジ２３がヒータ固定具２２のネジ穴２２ｃ及び底板１の凸形状部１ａのネジ穴１ｂに挿入されて固着されることで底板１に固定されている。ネジ２３の先端部２３ａは、図１１に示すように底板１よりも下方に突出しており、凸形状部１ａの下面側に固定された保護キャップ２４によって保護されている。保護キャップ２４については後で詳述する。このようにしてヒータ固定具２２が底板１に固定されることで、ヒータ２１の管部がヒータ固定具２２の湾曲部２２ａと底板１との間に挟まれて上面側から底板１に押さえつけられ、管部が底板１から浮かないようになっている。
【００２０】
図１２は、本発明の実施の形態１に係る空気調和機の室外機の底板に設置される保護キャップの上面斜視図である。図１３は、本発明の実施の形態１に係る空気調和機の室外機の底板に設置される保護キャップを示す正面図である。
保護キャップ２４は、ネジ２３の先端部２３ａを覆うカバー部２５と、カバー部２５の開口縁の互いに対向する位置からそのまま延長して延びる一対の延長部２５ａと、一対の延長部２５ａの先端から外方に延びるフランジ部２６及びフランジ部２７とを有する。フランジ部２６とフランジ部２７とは面一に形成されている。なお、延長部２５ａを省略して、カバー部２５の開放縁の互いに対向する位置から外方に延びるようにフランジ部２６及びフランジ部２７が形成されてもよい。フランジ部２６及びフランジ部２７は本発明の一対のフランジ部に相当する。
【００２１】
フランジ部２６及びフランジ部２７は、凸形状部１ａの外形形状に沿うように形成されており、互いに異なる形状となっている。これにより、保護キャップ２４を凸形状部１ａの下面側に固定する際に逆向きに配置されないようにしている。
【００２２】
このように構成された保護キャップ２４を底板１に固定する際には、図９に示すように底板１を裏返した状態で行われる。底板１が裏返されることによって凸形状部１ａは上方から見て凹状となり、その凹状部分に保護キャップ２４が配置される。保護キャップ２４は、フランジ部２６とフランジ部２７とが面一に形成され、凸形状部１ａの頂面もまた平面状に形成されているため、保護キャップ２４は凸形状部１ａに姿勢が安定した状態で配置されるようになっている。
【００２３】
そして、図示しない装置にて保護キャップ２４のフランジ部２６を凸形状部１ａに対してかしめ接合する。このとき、一対の脚部８も同時に、底板１にかしめ接合を行う。かしめ接合とは、重ね合わされた２つの面をパンチにより局所的に押し込んで機械的に接合する接合方法である。かしめ接合により、保護キャップ２４のフランジ部２６にはかしめ接合部３０（図１１参照）が形成されて底板１に固定され、一対の脚部８にもまた、かしめ接合部８ａ（図６参照）が形成されて底板１に固定される。
【００２４】
以上説明したように、本実施の形態１によれば、ヒータ固定具２２を底板１に固定するネジ２３の先端部２３ａを保護キャップ２４で保護することで、従来のように脚部の位置に制約されることなく自由にネジ２３の固定位置を設定できる。このため、ヒータ２１を排水穴１９の周辺の適切な位置で固定することができる。よって、排水穴１９の周囲をヒータ２１で加熱することができる。その結果、ドレン水が排水穴１９付近で凍結して排水穴１９から流れずに詰まるという不都合を抑制でき、信頼性の高い室外機を得ることができる。
【００２５】
また、保護キャップ２４の底板１への固定を、一対の脚部８の底板１への固定と同じかしめ接合としたことによって、保護キャップ２４と一対の脚部８とを同時に底板１に接合することができる。このため、保護キャップ２４と一対の脚部８とを別々の工程で接合する方法に比べて製造工程を簡略化することができる。
【符号の説明】
【００２６】
１  底板、１ａ  凸形状部、１ｂ  ネジ穴、２  前面板、３  側面板、３ａ  保護カバー、４  天面板、５  送風機室、６  機械室、７  仕切り板、８  脚部、８ａ  かしめ接合部、１０  熱交換器、１１  プロペラファン、１２  モーター、１３  モーター取付台、１４  圧縮機、１５  冷媒配管、１６  電装品ユニット、１７  電源板、１８  端子台、１９  排水穴、２０  平坦部、２１  ヒータ、２２  ヒータ固定具、２２ａ  湾曲部、２２ｂ  取付部、２２ｃ  ネジ穴、２３  ネジ、２３ａ  先端部、２４  保護キャップ、２５  カバー部、２５ａ  一対の延長部、２６  フランジ部、２７  フランジ部、３０  かしめ接合部。
【図１】
2019069392.tif 000003
【図２】
2019069392.tif 000004
【図３】
2019069392.tif 000005
【図４】
2019069392.tif 000006
【図５】
2019069392.tif 000007
【図６】
2019069392.tif 000008
【図７】
2019069392.tif 000009
【図８】
2019069392.tif 000010
【図９】
2019069392.tif 000011
【図１０】
2019069392.tif 000012
【図１１】
2019069392.tif 000013
【図１２】
2019069392.tif 000014
【図１３】
2019069392.tif 000015
【手続補正書】
【提出日】令和1年11月20日(2019.11.20)
【手続補正１】
【補正対象書類名】明細書
【補正対象項目名】０００７
【補正方法】変更
【補正の内容】
【０００７】
本発明に係る空気調和機の室外機は、熱交換器で生成されたドレン水を排水する排水穴が形成された底板と、底板の上面に配置されたヒータと、底板の上面との間にヒータを挟んだ状態でヒータを底板に固定するヒータ固定具と、ヒータ固定具と底板とが重なる部分に設けられたネジ穴に上方から挿入されて固着され、ヒータ固定具を底板に固定するネジと、底板から下方に突出したネジの先端部を底板の下面側から覆う保護キャップとを備え、ネジ穴は排水穴の周囲に設けられ、排水穴の周囲でヒータ固定具が底板に固定され、底板には、上面側に凸の凸形状部が形成されており、保護キャップは、ネジの先端部を覆うカバー部と、カバー部の開口縁の互いに対向する位置から延びて形成された一対のフランジ部とを有し、一対のフランジ部のうちの一方に凸形状部との固定を行うかしめ接合部が形成されているものである。
【手続補正２】
【補正対象書類名】特許請求の範囲
【補正対象項目名】全文
【補正方法】変更
【補正の内容】
【特許請求の範囲】
【請求項１】
熱交換器で生成されたドレン水を排水する排水穴が形成された底板と、
前記底板の上面に配置されたヒータと、
前記底板の上面との間に前記ヒータを挟んだ状態で前記ヒータを前記底板に固定するヒータ固定具と、
前記ヒータ固定具と前記底板とが重なる部分に設けられたネジ穴に上方から挿入されて固着され、前記ヒータ固定具を前記底板に固定するネジと、
前記底板から下方に突出した前記ネジの先端部を前記底板の下面側から覆う保護キャップとを備え、
前記ネジ穴は前記排水穴の周囲に設けられ、前記排水穴の周囲で前記ヒータ固定具が前記底板に固定され、
前記底板には、上面側に凸の凸形状部が形成されており、
前記保護キャップは、前記ネジの先端部を覆うカバー部と、前記カバー部の開口縁の互いに対向する位置から延びて形成された一対のフランジ部とを有し、前記一対のフランジ部のうちの一方に前記凸形状部との固定を行うかしめ接合部が形成されている空気調和機の室外機。
【請求項２】
前記底板の下面には室外機を支持する一対の脚部が設けられ、前記一対の脚部にも、前記底板との固定を行うかしめ接合部が形成されている請求項１記載の空気調和機の室外機。
【請求項３】
熱交換器で生成されたドレン水を排水する排水穴が形成された底板と、
前記底板の上面に配置されたヒータと、
前記底板の上面との間に前記ヒータを挟んだ状態で前記ヒータを前記底板に固定するヒータ固定具と、
前記ヒータ固定具と前記底板とが重なる部分に設けられたネジ穴に上方から挿入されて固着され、前記ヒータ固定具を前記底板に固定するネジと、
前記底板から下方に突出した前記ネジの先端部を前記底板の下面側から覆う保護キャップとを備え、
前記ネジ穴は前記排水穴の周囲に設けられ、前記排水穴の周囲で前記ヒータ固定具が前記底板に固定される空気調和機の室外機の製造方法であって、
裏返された前記底板上に前記保護キャップと、室外機を支持する一対の脚部とを配置し、前記保護キャップと前記一対の脚部とを同時に前記底板にかしめ接合する空気調和機の室外機の製造方法。
【請求項４】
前記底板には上面側に凸の凸形状部が形成されており、
前記保護キャップは、前記ネジの先端部を覆うカバー部と、前記カバー部の開口縁の互いに対向する位置から延びて形成された一対のフランジ部とを有し、裏返された前記底板の前記凸形状部に前記一対のフランジ部が重なるように配置され、前記一対のフランジ部の一方と前記凸形状部とが重なる部分に対して前記かしめ接合を行う請求項３記載の空気調和機の室外機の製造方法。
【手続補正３】
【補正対象書類名】図面
【補正対象項目名】図５
【補正方法】変更
【補正の内容】
【図５】
2019069392.tif 000016
【国際調査報告】
2019069392.tif 000017
2019069392.tif 000018
2019069392.tif 000019
2019069392.tif 000020